(57)【特許請求の範囲】
【請求項１】
セクタを検出するセクタ検出部と、
検出された前記セクタが再生されている時間を測定し、セクタ再生時間データを出力するセクタ再生時間測定部と、
第一の検出レベルとエンベロープ再生信号との関係に基づいて傷検出信号を出力し、かつ、第二の検出レベルとエンベロープ再生信号との関係に基づいて未記録検出信号を出力する傷・未記録部検出部と、
前記未記録検出信号が出力されている間の時間を測定し、未記録時間データを出力する未記録時間測定部と、
前記セクタ再生時間データと前記未記録時間データとの関係に基づいて、前記セクタが未記録状態であることを示す未記録セクタであるか否かを判別するセクタ判別部とを備えた光ディスク再生装置。
【請求項２】
前記セクタ判別部は、前記セクタ再生時間データと前記未記録時間データとの差に基づいて前記セクタが前記未記録セクタであるか否かを判別する、請求項１に記載の光ディスク再生装置。
【請求項３】
前記セクタ判別部は、前記セクタ再生時間データと前記未記録時間データとの比に基づいて前記セクタが前記未記録セクタであるか否かを判別する、請求項１に記載の光ディスク再生装置。
【請求項４】
前記傷検出信号が出力されている期間、前記未記録時間測定部は測定を停止する、請求項１に記載の光ディスク再生装置。
【請求項５】
前記傷検出信号が出力されている期間、前記未記録時間測定部は前記未記録時間データの出力を停止する、請求項１に記載の光ディスク再生装置。
【請求項６】
前記セクタ検出部は、
アドレス部を検出するアドレス部検出部をさらに含み、
前記アドレス部検出部によってアドレス部が検出された期間、前記セクタ再生時間測定部は前記セクタ再生時間データの出力を停止する、請求項１に記載の光ディスク再生装置。
【請求項７】
前記光ディスク再生装置は、複数のセクタを含むトラックを備えた光ディスクのための光ディスク再生装置であって、
前記トラックは所定の周期でウォブルするように形成されており、
前記複数のセクタのそれぞれはアドレス部とデータ部とを有しており、
前記光ディスク再生装置は、
前記トラックのウォブルを検出するウォブル検出部と、
前記検出されたウォブルの周期に同期したクロック信号を出力するＰＬＬ部と、
前記クロック信号に基づいて前記アドレス部を検出するアドレス部検出部とを含む、請求項１に記載の光ディスク再生装置。
【請求項８】
前記光ディスク再生装置は、
前記クロック信号が出力された回数に基づいて決定されるカウント値を有するカウンタをさらに含み、
前記カウンタは、前記カウンタが有する前記カウント値が前記セクタ再生時間データに相当する値に達した時に前記カウント値を所定の値に設定する、請求項７に記載の光ディスク再生装置。
【請求項９】
前記第一の検出レベルは前記第二の検出レベルに対して、よりエンベロープ再生信号の振幅が小さい側に設定されている請求項１に記載の光ディスク再生装置。
【発明の詳細な説明】
【０００１】
【発明の属する技術分野】
本発明は、複数のセクタを含むトラックを備えた光ディスクのための光ディスク再生装置に関する。
【０００２】
【従来の技術】
図１５は、従来の光ディスク再生装置１１００の構成を示す。
【０００３】
光ディスク再生装置１１００は、アドレス部検出部１１０６と、ウォブル検出部１１０７と、ウォブルＰＬＬ回路１１０８と、データＰＬＬ回路１１１２と、ゲート信号生成部１１１３と、傷・未記録部検出部１１１５と、未記録セクタ判別部１１１８と、システムコントローラ１１１７とを含む。
【０００４】
傷・未記録部検出部１１１５は、セクタの傷部を再生しているか否かを判別し、セクタの傷部をを示す傷検出信号を出力する。
【０００５】
傷・未記録部検出部１１１５は、セクタの未記録部を再生しているか否かを判別し、セクタの未記録部を示す未記録部検出信号を出力する。
【０００６】
図１６は、未記録セクタ判別部１１１８を示す。
【０００７】
未記録セクタ判別部１１１８は、未記録時間測定部２４０２と、コンパレータ２４０５とを含む。
【０００８】
傷・未記録部検出部１１１５から出力された未記録部検出信号は、未記録時間測定部２４０２に入力される。
【０００９】
未記録時間測定部２４０２は、セクタの未記録部の再生時間を測定し、測定された未記録部の再生時間を示す未記録時間データを出力する。
【００１０】
コンパレータ２４０５には、基準値（未記録セクタ検出レベル）があらかじめ設定されている。
【００１１】
コンパレータ２４０５は、未記録時間測定部２４０２から出力された未記録時間データと基準値（未記録セクタ検出レベル）とを比較する。コンパレータ２４０５は、セクタが未記録セクタであるか否かを判別する未記録セクタ判別信号を出力する。
【００１２】
このように、光ディスク再生装置１１００は、未記録時間データのみに基づいてセクタが未記録セクタであるか否かを判別する。
【００１３】
図１７は、ウェブルＰＬＬ回路１１０８を示す。
【００１４】
ウォブルＰＬＬ回路１１０８は、位相比較器１５０１と、スイッチ１５０２と、位相補償器１５０３と、可変発振器１５０４と、分周期１５０５とを含む。
【００１５】
位相比較器１５０１は、分周器１５０５で分周されたウォブルクロック信号とウォブル信号の位相とを比較する。ウォブルクロック信号がウォブル信号に同期するように位相比較器１５０１からの出力がスイッチ１５０２、位相補償器１５０３を通り、可変発振器１５０４に入力される。
【００１６】
ウォブルＰＬＬ回路１１０８は、アドレス部検出部１１０６から出力されるアドレス部検出信号を入力する。アドレス部検出信号によってスイッチ１５０２がオフになり、アドレス部が検出される期間、ウォブルＰＬＬ回路１１０８は、ホールドされる。
【００１７】
また、システムコントローラ１１１７は、アドレス部検出信号の検出を所定の回数行うことができない場合、データリードクロック信号の周波数に異常があると判断する。
【００１８】
このように、光ディスク再生装置１１００は、アドレス部検出信号に基づいてデータリードクロック信号の周波数の異常を検出する。
【００１９】
【発明が解決しようとする課題】
光ディスクの製造時にデータ部に所定のデータを記録せず、未記録のまま出荷された光ディスクを再生する場合であって未記録セクタの再生要求が来た場合では、再生したセクタが未記録であることを検出して安定に再生動作を行う必要がある。
【００２０】
しかしながら、従来の光ディスク再生装置は、未記録時間データのみに基づいてセクタが未記録セクタであるか否かを判別していたため、光ディスクの内周側にあるセクタの再生速度と光ディスクの外周側にあるセクタの再生速度とが異なる場合（例えば、ＣＡＶ再生の場合）には、セクタが未記録セクタであるか否かを判別することができないという問題があった。未記録時間データは、セクタの再生速度に依存するからである。また、ＣＬＶ再生の場合、シーク直後はＣＬＶ制御が正確に行われず、セクタの再生速度がセクタ毎に異なることがある。この場合にも、セクタが未記録セクタであるか否かを判別することができないという問題があった。未記録時間データは、セクタの再生速度に依存するからである。
【００２１】
さらに、従来の光ディスク再生装置は、アドレス部が検出された期間のみ、ウォブルＰＬＬ回路をホールドしていたため、ウォブルクロック信号に基づいてアドレス部を正確に検出できないという問題点があった。アドレス部が検出されない所定の期間に、ウォブルクロック信号に乱れが生じる期間があるからである。ウォブルクロック信号の乱れはアドレス部を正確に検出できないことが原因で生じる。
【００２２】
さらに、従来の光ディスク再生装置は、アドレス部検出信号のみに基づいてデータリードクロック信号の周波数の異常を検出していたため、データリードクロック信号の周波数の異常を高速に検出できないという問題があった。アドレス部検出信号が検出されない回数を数えることが必要だからである。
【００２３】
図１８は、ウォブルクロック信号の乱れを説明する図である。
【００２４】
図１８（ａ）は、アドレス部検出信号を示す。
【００２５】
図１８（ｂ）は、ウォブル信号を示す。
【００２６】
一般に、光ディスク再生装置１１００を動作すると、アドレス部検出部１１０６がアドレス部を検出するタイミングが遅れることが原因で、期間２００１の間、ウォブルＰＬＬ回路１１０８が動作し、ウォブルクロック信号が乱れる。また、ウォブル検出部１１０７の帯域通過フィルタの応答のタイミングが遅れることが原因で、期間２００２の間、ウォブル信号が乱れ、これに伴いウォブルクロック信号が乱れる。
【００２７】
本発明は、上記問題点に鑑みてなされたものであり、光ディスクの内周側にあるセクタの再生速度と光ディスクの外周側にあるセクタの再生速度とが異なる場合でも、セクタが未記録セクタであるか否かを判別することが可能になる光ディスク再生装置を提供することを目的とする。
【００２８】
また、本発明は、ウォブルクロック信号に基づいてアドレス部を正確に検出できる光ディスク再生装置を提供することを目的とする。
【００２９】
また、本発明は、データリードクロック信号の周波数の異常を高速に検出できる光ディスク再生装置を提供することを目的とする。
【００３０】
【課題を解決するための手段】
本発明の光ディスク再生装置は、セクタを検出するセクタ検出部と、検出された前記セクタが再生されている時間を測定し、セクタ再生時間データを出力するセクタ再生時間測定部と、第一の検出レベルとエンベロープ再生信号との関係に基づいて傷検出信号を出力し、かつ、第二の検出レベルとエンベロープ再生信号との関係に基づいて未記録検出信号を出力する傷・未記録部検出部と、前記未記録検出信号が出力されている間の時間を測定し、未記録時間データを出力する未記録時間測定部と、前記セクタ再生時間データと前記未記録時間データとの関係に基づいて、前記セクタが未記録状態であることを示す未記録セクタであるか否かを判別するセクタ判別部とを備え、これにより上記目的が達成される。
【００３１】
前記セクタ判別部は、前記セクタ再生時間データと前記未記録時間データとの差に基づいて前記セクタが前記未記録セクタであるか否かを判別してもよい。
【００３２】
前記セクタ判別部は、前記セクタ再生時間データと前記未記録時間データとの比に基づいて前記セクタが前記未記録セクタであるか否かを判別してもよい。
【００３３】
前記光ディスク再生装置は、前記傷検出信号が出力されている期間、前記未記録時間測定部は測定を停止してもよい。
【００３４】
前記光ディスク再生装置は、前記傷検出信号が出力されている期間、前記未記録時間測定部は前記未記録時間データの出力を停止してもよい。
【００３５】
前記セクタ検出部は、アドレス部を検出するアドレス部検出部をさらに含み、前記アドレス部検出部によってアドレス部が検出された期間、前記セクタ再生時間測定部は前記セクタ再生時間データの出力を停止してもよい。
【００３６】
前記光ディスク再生装置は、複数のセクタを含むトラックを備えた光ディスクのための光ディスク再生装置であって、前記トラックは所定の周期でウォブルするように形成されており、前記複数のセクタのそれぞれはアドレス部とデータ部とを有しており、前記光ディスク再生装置は、前記トラックのウォブルを検出するウォブル検出部と、前記検出されたウォブルの周期に同期したクロック信号を出力するＰＬＬ部と、前記クロック信号に基づいて前記アドレス部を検出するアドレス部検出部とを含んでもよい。
【００３７】
前記光ディスク再生装置は、前記クロック信号が出力された回数に基づいて決定されるカウント値を有するカウンタをさらに含み、前記カウンタは、前記カウンタが有する前記カウント値が前記セクタ再生時間データに相当する値に達した時に前記カウント値を所定の値に設定してもよい。
【００３８】
前記光ディスク再生装置は、前記第一の検出レベルは前記第二の検出レベルに対して、よりエンベロープ再生信号の振幅が小さい側に設定されていてもよい。
【００４８】
【発明の実施の形態】
以下、図１〜図１４を参照して本発明の実施の形態を説明する。
【００４９】
図１は、光ディスク１１０１に含まれたゾーンおよびセクタを示す。
【００５０】
図１（ａ）は、光ディスク１１０１の構成を示す。
【００５１】
光ディスク１１０１は、光ディスク１１０１の半径方向に沿って、複数のゾーン（例えば、ゾーン９０２およびゾーン９０３）に分割されている。各ゾーンにおいて、光ディスク１１０１の中心から同じ距離にあるトラックの記録線密度は一定である。同一のゾーン内においては、外周のトラックほど記録線密度が低い。
【００５２】
図１（ｂ）は、ゾーンとセクタとの関係を示す。
【００５３】
ゾーンは、複数のセクタを含む。例えば、ゾーン９０３は、セクタ９０５およびセクタ９０６を含む。
【００５４】
図２は、ゾーン９０３が含むセクタ９０５を示す。図２において、矢印Ｍは光ディスク１１０１の半径方向を示す。
【００５５】
ゾーン９０３は、凸状のランドトラック１００１と凹状のグルーブトラック１００２とを含む。セクタ９０５は、データ部１００３とアドレス部１００５とを含む。セクタ９０５は、データ部１００４とアドレス部１００６とを含む。アドレス部はセクタの先頭に配置される。アドレス部１００５とアドレス部１００６とは、ランドトラック上を走査する光とグルーブトラック上を走査する光との両方で読みとることができるように、光ディスク１１０１の半径方向に各々半トラックずらしてセクタに配置されている。
【００５６】
ランドトラック１００１のデータ部１００３およびグルーブトラック１００２のデータ部１００４は、トラック方向に蛇行（ウォブル）されている。トラックのウォブルの周期は、データリードクロック信号の数百倍程度の周期を有する。
【００５７】
１．本発明の光ディスク再生装置の構成
図３は、本発明の光ディスク再生装置１００の構成を示す。光ディスク再生装置１００は、図１（ａ）に示される光ディスク１１０１の情報を再生するために用いられる。
【００５８】
光ディスク再生装置１００は、ヘッドユニット１０２と、ヘッドユニット１０２に取り付けられた光検出器１０３とを含む。
【００５９】
ヘッドユニット１０２は、光ビームを光ディスク１１０１に照射する。ヘッドユニット１０２の位置およびヘッドユニット１０２に取り付けられた収束レンズ（不図示）の位置は、光ビームの収束点が光ディスク１１０１の記録面上かつ、トラック中心上に位置するように制御される。
【００６０】
光検出器１０３は、光ビームの反射光もしくは透過光を検出する。光検出器１０３は、検出した光を電気信号に変換し、この電気信号を減算器１０５に出力する。
【００６１】
光ディスク再生装置１００は、加算器１０４と、減算器１０５と、アドレス部を検出するアドレス部検出部１０６と、トラックのウォブルを検出するウォブル検出部１０７と、ウォブル検出部１０７によって検出されたウォブルの周期に同期したクロック信号を出力するウォブルＰＬＬ回路１０８と、セレクタ１０９と、セレクタ１１０と、イコライザ部１１１と、光ディスク１１０１のセクタの検出周期に同期したクロック信号を出力するデータＰＬＬ回路１１２と、ゲート信号生成部１１３と、アドレスリード部１１６と、傷・未記録部検出部１１５と、未記録セクタ判別部１１８と、システムコントローラ１１７とをさらに含む。セレクタ１０９は、システムコントローラ１１７から出力される信号に基づいて、加算器１０４あるいは減算器１０５から出力される信号のいずれかを選択する。選択された信号はセレクタ１１０に出力される。
【００６２】
図４は、アドレス部検出部１０６の構成を示す。
【００６３】
アドレス部検出部１０６は、低域通過フィルタ１２０１と、コンパレータ１２０２と、コンパレータ１２０３と、論理和演素子１２０４とを含む。減算器１０５から出力された電気信号は、アドレス部検出部１０６が含む低域通過フィルタ１２０１に入力される。
【００６４】
低域通過フィルタ１２０１は、入力された電気信号の帯域のうちＲＦ成分帯域以上の信号が出力されることを阻止する。
【００６５】
コンパレータ１２０２は、低域通過フィルタ１２０１の出力信号のうちアドレス部検出レベル１以上である信号を検出する。
【００６６】
コンパレータ１２０３は、低域通過フィルタ１２０１の出力信号のうちアドレス部検出レベル２以下である信号を検出する。
【００６７】
論理和演算素子１２０４は、コンパレータ１２０２で検出された信号とコンパレータ１２０３で検出された信号との論理和を演算し、アドレス部検出信号を生成する。
【００６８】
アドレス部検出部１０６は、アドレス部を検出し、アドレス部検出信号を出力する。
【００６９】
なお、アドレス部検出部１０６は、アドレス部を検出することでセクタを検出し得る。セクタはアドレス部とそのアドレス部に続くデータ部とから成り、セクタの先頭に割り当てられているアドレス部を検出することはセクタを検出することでもあるからである。したがって、アドレス部検出部はセクタを検出する。アドレス部検出部は、本発明において、セクタ検出部としても機能する。
【００７０】
図３を再び参照して、本発明の光ディスク再生装置１００の説明を続ける。
【００７１】
減算器１０５から出力された電気信号は、ウォブル検出部１０７にも入力される。
【００７２】
ウォブル検出部１０７は、この入力された信号を帯域通過フィルタに入力する。帯域通過フィルタは、ウォブル検出信号を出力する。さらに、ウォブル検出部１０７はこのウォブル検出信号を２値化し、ウォブル信号を出力する。
【００７３】
図５は、アドレス部検出部１０６およびウォブル検出部１０７への入力信号の波形とアドレス部検出部１０６およびウォブル検出部１０７からの出力信号の波形を示す。
【００７４】
図５（ａ）は、セクタが含むアドレス部およびデータ部を示す。
【００７５】
図５（ｂ）は、減算器１０５から出力された電気信号（差信号）を示す。
【００７６】
図５（ｃ）は、低域通過フィルタ１２０１から出力された信号を示す。
【００７７】
図５（ｄ）は、論理和演算素子１２０４から出力されたアドレス部検出信号を示す。
【００７８】
図５（ｅ）は、帯域通過フィルタから出力されたウォブル検出信号を示す。
【００７９】
図５（ｆ）は、ウォブル検出信号を２値化して得たウォブル信号を示す。
【００８０】
図３を再び参照して、本発明の光ディスク再生装置１００の説明を続ける。
【００８１】
ウォブルＰＬＬ回路１０８は、ウォブル信号をＰＬＬ制御して、ウォブルの周期に同期したウォブルクロック信号を出力する。
【００８２】
ウォブルＰＬＬ回路１０８の詳細は、（３．ウォブルＰＬＬ回路のホールド）にて後述する。
【００８３】
アドレス部検出部１０６から出力された信号は、ゲート信号生成部１１３を介してセレクタ１１０およびデータＰＬＬ回路１１２に入力される。セレクタ１１０は、この信号に基づいて、セレクタ１１０が選択した信号（アドレス再生信号）を出力する。セレクタ１１０からの出力は、イコライザ部１１１に入力される。イコライザ部１１１は、所定の周波数帯域を増幅し、制限し、２値化する。イコライザ部１１１は、再生ＲＦ信号を出力する。再生ＲＦ信号は、データＰＬＬ回路１１２に入力される。データＰＬＬ回路１１２は光ディスク１１０１に記録されている情報を再生する際の基準となるデータリードクロック信号を生成する。データＰＬＬ回路１１２は、再生ＲＦ信号と同期したデータリードクロック信号を出力する。
【００８４】
図６は、データＰＬＬ回路１１２の構成を示す。
【００８５】
データＰＬＬ回路１１２は、位相比較器１４０１と、スイッチ１４０２と、位相補償器１４０３と、可変発振器１４０４と、分周期１４０５と、セレクタ１４０６と、周期測定器１４０７と、周期測定器１４０８と、増幅器１４０９と、比較器１４１０と、論理和演算子１４１１とを含む。スイッチ１４０２はシステムコントローラ１１７（図３）からの信号に基づいて開閉され、セレクタ１４０６を比較器１４１０あるいは位相比較器１４０１に接続する。
【００８６】
ウォブル検出部１０７から出力されたウォブル信号は、データＰＬＬ回路１１２が含む周期測定器１４０７に入力される。周期測定器１４０７は、ウォブル信号の周期を測定し、測定値を出力する。増幅器１４０９は、この測定値を増幅する。比較器１４１０は、この増幅された測定値と周期測定器１４０８から出力された測定値とを比較し、制御信号を出力する。
【００８７】
比較器１４１０から出力された制御信号は、セレクタ１４０６と位相補償器１４０３とを経て、可変発振器１４０４に入力される。可変発振器１４０４は、データリードクロック信号を出力する。
【００８８】
分周期１４０５は、データリードクロック信号を分周し、分周した信号を周期測定器１４０８に入力する。
【００８９】
このようにウォブル信号の周期とデータリードクロック信号の周期とを制御することで、データＰＬＬ回路１１２は、ウォブル信号の周期とデータリードクロック信号の周期との比を一定にする。
【００９０】
光ディスク再生装置１００がアドレス部およびデータ部を再生し始める時、システムコントローラ１１７は、位相比較器１４０１が分周器１４０５で分周されたデータリードクロック信号の位相と再生ＲＦ信号の位相とを比較するように、セレクタ１４０６を切り換える。
【００９１】
現在再生中のセクタのアドレス部を示す信号であるアドレス部ゲート信号とデータ部を示す信号であるデータ部ゲート信号との論理和を論理和演算子１４１１が演算し、論理和演算子１４１１の出力をスイッチ１４０２に入力することにより、データＰＬＬ回路１１２は、セクタのデータ部およびアドレス部で位相比較を行う。
【００９２】
位相比較器１４０１の出力は、スイッチ１４０２と、セレクタ１４０６と、位相補償器１４０３とを通り、可変発振器１４０４に入力される。
【００９３】
データＰＬＬ回路１１２の制御によって、データリードクロック信号が再生ＲＦ信号に同期する。
【００９４】
なお、データＰＬＬ回路１１２は、本発明において、第１ＰＬＬ部として機能する。
【００９５】
図３を再び参照して、本発明の光ディスク再生装置１００の説明を続ける。
【００９６】
ゲート信号生成部１１３は、ウォブルＰＬＬ回路１０８へ出力するゲート信号を生成する。
【００９７】
ゲート信号生成部１１３の詳細は、（３．ウォブルＰＬＬ回路のホールド）にて後述する。
【００９８】
２．未記録セクタの判別
図３を再び参照して、本発明の光ディスク再生装置１００の説明を続ける。
【００９９】
光ディスク再生装置１００は、傷・未記録部検出部１１５と未記録セクタ判別部１１８とをさらに含む。
【０１００】
図７は、傷・未記録部検出部１１５の構成を示す。
【０１０１】
傷・未記録部検出部１１５は、低域阻止フィルタ２０１と、エンベロープ検出回路２０２と、コンパレータ２０３と、コンパレータ２０４とを含む。
【０１０２】
加算器１０４から出力された電気信号は、低域阻止フィルタ２０１へ入力された後、エンベロープ検出回路２０２へ入力される。エンベロープ検出回路２０２は、低域阻止フィルタ２０１から出力された信号のエンベロープ信号を検出する。エンベロープ検出回路２０２から出力されたエンベロープ信号は、コンパレータ２０３とコンパレータ２０４とへ入力される。
【０１０３】
コンパレータ２０３には、基準値（傷検出レベル）があらかじめ設定されている。
【０１０４】
コンパレータ２０３は、基準値（傷検出レベル）とエンベロープ信号の値とを比較する。コンパレータ２０３は、傷検出信号（図８の（ｄ））を生成する。したがって、コンパレータ２０３は、傷部を検出し、傷検出信号を出力する。傷検出信号は、セクタの傷部を示す信号である。
【０１０５】
ここで、本明細書では、「セクタの傷部」とは、「セクタ上に生じた傷の部分」と定義される。
【０１０６】
コンパレータ２０４には、基準値（未記録部検出レベル）があらかじめ設定されている。
【０１０７】
コンパレータ２０４は、基準値（未記録部検出レベル）とエンベロープ信号の値とを比較する。コンパレータ２０４は、未記録部検出信号（図８の（ｅ））を生成する。未記録部検出信号は、セクタの未記録部を示す信号である。したがって、コンパレータ２０４は、セクタの未記録部を検出し、未記録部検出信号を出力する。
【０１０８】
ここで、本明細書では、「セクタの未記録部」とは、「セクタのうち情報が記録されていない部分」と定義される。
【０１０９】
なお、コンパレータ２０３は、本発明において、傷部検出部として機能する。コンパレータ２０４は、本発明において、未記録部検出部として機能する。
【０１１０】
図８は、傷・未記録部検出部１１５への入力信号の波形と傷・未記録部検出部１１５からの出力信号の波形とを示す。
【０１１１】
図８（ａ）は、傷・未記録部検出部１１５への入力信号の波形を示す。
【０１１２】
図８（ｂ）は、低域阻止フィルタ２０１から出力された信号の波形を示す。
【０１１３】
図８（ｃ）は、エンベロープ検出回路２０２から出力されたエンベロープ信号の波形を示す。
【０１１４】
図８（ｄ）は、傷・未記録部検出部１１５から出力された傷検出信号を示す。
【０１１５】
図８（ｅ）は、傷・未記録部検出部１１５から出力された未記録部検出信号を示す。
【０１１６】
図３を再び参照して、本発明の光ディスク再生装置１００の説明を続ける。
【０１１７】
システムコントローラ１１７は、傷・未記録部検出部１１５から出力された傷部検出信号あるいは未記録部検出信号を検出した場合、ゲート信号生成部１１３に信号を出力し、アドレス部ゲート信号及びデータ部ゲート信号が出力されないようにする。したがって、傷・未記録部検出部１１５が傷部あるいは未記録部を検出している間、システムコントローラ１１７はデータＰＬＬ回路１１２の位相比較を一時停止させる。
【０１１８】
図９は、未記録セクタ判別部１１８の構成を示す。
【０１１９】
未記録セクタ判別部１１８は、セクタ再生時間測定部４０１と、未記録時間測定部４０２と、演算器４０３と、コンパレータ４０５とを含む。
【０１２０】
セクタ再生時間測定部４０１は、ヘッドユニット１０２から照射された光ビームが再生の対象となっているセクタを通過する時間間隔（セクタの再生時間）を測定する。セクタ再生時間測定部４０１は、測定されたセクタの再生時間を示すセクタ再生時間データを出力する。
【０１２１】
傷・未記録部検出部１１５から出力された未記録部検出信号は、未記録時間測定部４０２に入力される。
【０１２２】
未記録時間測定部４０２は、セクタの未記録部の再生時間を測定し、測定された未記録部の再生時間を示す未記録時間データ（図１０の（ｃ））を出力する。
【０１２３】
システムコントローラ１１７は、アドレス部を検出する毎にリセット信号をセクタ再生時間測定部４０１と未記録時間測定部４０２とへ送信する。セクタ再生時間測定部４０１は、リセット信号を受信するたびに、セクタ再生時間データをクリアにする。未記録時間測定部４０２は、リセット信号を受信するたびに、未記録時間データをクリアにする。
【０１２４】
演算器４０３は、セクタ再生時間データと未記録時間データとの値を演算する。
【０１２５】
演算器４０３が減算器である場合は、セクタ再生時間データと未記録時間データとの差が減算器から出力される。演算器４０３が除算器である場合は、セクタ再生時間データと未記録時間データとの比が除算器から出力される。
【０１２６】
演算器４０３として除算器を用いた場合の演算器４０３の動作を説明する。
【０１２７】
除算器４０３は、未記録部時間測定器４０２の出力をセクタ再生時間測定器４０１の出力で除算した値を出力し、コンパレータ４０５へ送る。
【０１２８】
コンパレタータ４０５は、基準値と除算器４０３からの出力値とを比較することにより、再生しているセクタが未記録であるかどうかを判別し、未記録セクタ判別信号を出力する。演算器４０３から出力された信号の値が未記録セクタ検出レベル以上の場合、コンパレータ４０５は未記録セクタ判別信号（図１０の（ｄ））をシステムコントローラ１１７に出力する。未記録セクタ判別信号は、再生しているセクタが未記録であるかどうか示す信号である。
【０１２９】
コンパレタータ４０５には、基準値（未記録セクタ検出レベル）が設定されている。
【０１３０】
演算器４０３とコンパレータ４０５とは、本発明において、セクタ判別部として機能する。セクタ判別部は、セクタ再生時間データと未記録時間データとの関係に基づいて、セクタが未記録セクタであるか否かを判別する。
【０１３１】
図１０は、未記録セクタ判別装置１１８で生成される信号とＲＦ信号との比較を示す。
【０１３２】
図１０（ａ）は、ＲＦ信号を示す。
【０１３３】
図１０（ｂ）は、セクタ再生時間測定部４０１が測定したセクタ再生時間データを示す。
【０１３４】
図１０（ｃ）は、未記録時間測定部４０２が測定した未記録時間データを示す。  図１０（ｄ）は、未記録セクタ判別装置１１８が出力した未記録セクタ判別信号を示す。
【０１３５】
本発明の光ディスク再生装置によれば、セクタ再生時間データと未記録時間データとの関係に基づいてセクタが未記録セクタであるか否かを判別するため、光ディスクの内周側にあるセクタの再生速度と光ディスクの外周側にあるセクタの再生速度とが異なる場合（例えば、ＣＡＶ再生の場合）でも、セクタが未記録セクタであるか否かを判別することが可能になる。セクタ再生時間データと未記録時間データとの関係は、セクタの再生速度に依存しないからである。また、ＣＬＶ再生の場合、シーク直後はＣＬＶ制御が正確に行われず、セクタの再生速度がセクタ毎に異なることがある。しかし、この場合でも、セクタが未記録セクタであるか否かを判別することが可能になる。セクタ再生時間データと未記録時間データとの関係は、セクタの再生速度に依存しないからである。
【０１３６】
セクタの再生時間が変化しない場合（例えば、ＣＬＶ再生時）には、セクタ再生時間データと未記録時間データとの差が所定値以下であることをもって未記録セクタと判別してもよい。
【０１３７】
また、傷・未記録部検出部１１５が光ディスク上の傷を検出している期間、未記録時間測定部４０２の測定あるいは未記録時間データの出力を一時停止するように構成する。この場合、未記録セクタ判別部４０３がセクタの傷を未記録部と誤判別することがないため未記録セクタの判別精度が更に向上し、より安定に未記録セクタが判別できる。
【０１３８】
また、傷・未記録部検出部１１５がアドレス部を検出している期間、セクタ再生時間測定器４０１の測定あるいはセクタ再生時間データの出力を一時停止するように構成する。この場合、セクタ再生時間測定器４０１がアドレス部を測定することがなく未記録部の可能性のあるデータ部のみの再生時間を測定する。したがって、未記録セクタの判別精度が更に向上し、より安定に未記録セクタが判別できる。
【０１３９】
３．ウォブルＰＬＬ回路のホールド
次に、アドレス部が検出された期間を含む所定の期間、ウォブルＰＬＬ回路１０８をホールドするゲート信号生成部１１３の動作を説明する。
【０１４０】
図１１は、ゲート信号生成部１１３の構成を示す。
【０１４１】
ゲート信号生成部１１３は、カウンタ６０１と、アドレス部ゲート信号生成部６０２と、セレクタ６０３と、データ部ゲート信号生成部６０４と、スイッチ６０５と、ウォブルＰＬＬゲート信号生成部６０６と、セレクタ６０７とを含む。
【０１４２】
カウンタ６０１は、ウォブルＰＬＬ回路１０８から出力されたウォブルクロック信号をカウントする。カウンタ６０１は、ウォブルクロック信号が出力された回数に基づいてカウント値を決定する。カウンタ６０１は、システムコントローラ１１７から出力されるアドレスリード信号を検出するとき、そのカウント値をリセットする。
【０１４３】
カウンタ６０１は、カウント値をアドレス部ゲート信号生成部６０２と、データ部ゲート信号生成部６０４と、ウォブルＰＬＬゲート信号生成部６０６とへ出力する。
【０１４４】
アドレス部ゲート信号生成部６０２およびデータ部ゲート信号生成部６０４の動作については、図１２を用いて後述する。
【０１４５】
ウォブルＰＬＬゲート信号生成部６０６の動作および「アドレス部が検出された期間を含む所定の期間」については、図１２を用いて後述する。
【０１４６】
セレクタ６０７は、アドレス部検出信号あるいはウォブルＰＬＬゲート信号生成部６０６から出力された信号のうち何れか一方をシステムコントローラ１１７から出力されるウォブルＰＬＬゲート切換信号に基づいて選択し、選択した信号をウォブルＰＬＬゲート信号として出力する。
【０１４７】
セレクタ６０３は、アドレス部検出信号あるいはアドレス部ゲート信号生成部６０２から出力された信号のうち何れか一方をシステムコントローラ１１７から出力されるゲート切換信号に基づいて選択し、選択した信号をアドレス部ゲート信号として出力する。
【０１４８】
ゲート信号生成部１１３は、アドレス部が検出される期間、アドレス部ゲート信号をセレクタ１１０に出力する。
【０１４９】
また、ゲート信号生成部１１３はデータ部が検出される期間、データ部ゲート信号をセレクタ１１０に出力する。
【０１５０】
また、ゲート信号生成部１１３は、データ部を再生しない場合はアドレス部が検出される期間、データ部を再生する場合はアドレス部とデータ部で位相比較が行われる期間、データＰＬＬ回路１１２へアドレス部ゲート信号及びデータ部ゲート信号を出力する。
【０１５１】
さらに、ゲート信号生成部１１３は、アドレス部ゲート信号をアドレスリード部１１６に出力する。
【０１５２】
図１２は、ゲート信号生成部１１３が含む各構成要素から出力される信号を示す。
【０１５３】
図１２（ａ）は、セクタが含むアドレス部およびデータ部を示す。
【０１５４】
図１２（ｂ）は、カウンタ６０１から出力されるカウント値を示す。カウンタ６０１がウォブルクロック信号を入力するに従い、カウント値が増加する。カウンタ６０１は、アドレス部検出信号を検出すると、カウント値をリセットする。
【０１５５】
図１２（ｃ）は、アドレス部検出信号を示す。
【０１５６】
図１２（ｄ）は、ウォブルＰＬＬゲート信号生成部から出力される信号を示す。
【０１５７】
アドレス部ゲート信号生成部６０２およびデータ部ゲート信号生成部６０４の動作について、図１２を用いて以下の説明する。
【０１５８】
図１２（ｂ）に示したしきい値７０３は、カウンタ６０１がカウント値をリセットした時（時刻ｔ3あるいは時刻ｔ5）のカウント値を示す。図１２（ｂ）に示したしきい値７０４は、カウント値をリセットした時（時刻ｔ3）から所定の期間（期間７２３）経過時（時刻ｔ4）のカウント値を示す。時刻ｔ4から所定の期間（期間７２４）経過時（時刻ｔ5）にカウンタ６０１がカウント値をリセットする。
【０１５９】
アドレス部ゲート信号生成部６０２は、カウンタから出力されるカウンタ値に基づいて、カウンタ６０１から出力されるカウンタ値がしきい値７０３になった時（時刻ｔ3）からカウンタ値がしきい値７０４になった時（時刻ｔ4）までの期間（期間７２３）を検出する。この期間はアドレス部を検出する時間データとして、アドレス部ゲート信号生成部６０２から出力される。この出力は、セレクタ６０３を通してアドレス部ゲート信号として出力される。
【０１６０】
データ部ゲート信号生成部６０４は、カウンタから出力されるカウンタ値に基づいて、カウンタ６０１から出力されるカウンタ値がしきい値７０４になった時（時刻ｔ4）からカウンタ値がしきい値７０３になった時（時刻ｔ5）までの期間（期間７２４）を検出する。この期間はデータ部を検出する時間データとしてデータ部ゲート信号生成部６０４から出力される。この出力は、スイッチ６０５を通してデータ部ゲート信号として出力される。
【０１６１】
ウォブルＰＬＬゲート信号生成部６０６の動作および「アドレス部が検出された期間を含む所定の期間」について、図１２を用いて以下に説明する。
【０１６２】
図１２（ｂ）に示したしきい値７０２は、アドレス部７１１を検出した後から所定の期間（期間７２１）経過時（時刻ｔ1）のカウント値を示す。図１２（ｂ）に示したしきい値７０１は、アドレス部７１２を検出した後から所定の期間（期間７２２）経過時（時刻ｔ2）のカウント値を示す。したがって、所定の期間（期間７２２）は、アドレス部７１２の検出時からカウント値がしきい値７０１以上になる時までの期間である。「アドレス部が検出された期間を含む所定の期間」とは、例えば、時刻ｔ1から時刻ｔ2までの期間をさす。
【０１６３】
ウォブルＰＬＬゲート信号生成部６０６は、カウンタから出力されるカウンタ値に基づいて、カウンタ６０１から出力されるカウンタ値がしきい値７０２になった時（時刻ｔ1）からカウンタ値がしきい値７０１になった時（時刻ｔ2）までの期間を検出する。この期間はアドレス部が検出された期間を含む所定の期間を示すデータとしてウォブルＰＬＬゲート信号生成部６０６からセレクタ６０７に出力される。
【０１６４】
図３、図１１、図１２を再び参照して、ゲート信号生成部１１３の説明を続ける。
【０１６５】
セレクタ６０７が、ウォブルＰＬＬゲート信号生成部６０６から出力された信号を選択し、この信号をウォブルＰＬＬゲート信号としてゲート信号生成部１１３へ出力した時、時刻ｔ1で、ゲート信号生成部１１３は、ウォブルＰＬＬ回路１０８のホールドを始める。また、時刻ｔ2で、ゲート信号生成部１１３は、ウォブルＰＬＬ回路１０８のホールドを停止する。
【０１６６】
所定の期間（期間７２１）は、本発明において、第１の所定期間を示す。所定の期間（期間７２２）は、本発明において、第２の所定期間を示す。
【０１６７】
ゲート信号生成部１１３は、本発明において、ＰＬＬホールド部として機能する。
【０１６８】
図１３は、ウォブルＰＬＬ回路１０８の構成を示す。
【０１６９】
ウォブルＰＬＬ回路１０８は、位相比較器５０１と、スイッチ５０２と、位相補償器５０３と、可変発振器５０４と、分周期５０５とを含む。
【０１７０】
位相比較器５０１は、分周器５０５で分周されたウォブルクロック信号とウォブル信号の位相とを比較する。ウォブルクロック信号がウォブル信号に同期するように、位相比較器５０１からの出力がスイッチ５０２、位相補償器５０３を通り、可変発振器５０４に入力される。
【０１７１】
ウォブルＰＬＬ回路１０８は、ゲート信号生成部１１３から出力されるウォブルＰＬＬゲート信号を入力する。したがって、アドレス部が検出された期間を含む所定の期間、スイッチ５０２がオフになり、ウォブルＰＬＬ回路１０８は、ホールドされる。
【０１７２】
なお、ウォブルＰＬＬ回路１０８は、本発明において、ＰＬＬ部あるいは第２ＰＬＬ部として機能する。
【０１７３】
本発明の光ディスク再生装置によれば、アドレス部が検出された期間を含む所定の期間、ＰＬＬ部をホールドするため、クロック信号に基づいてアドレス部を正確に検出できる。アドレス部が検出された期間を含む所定の期間以外の期間に、クロック信号に乱れが生じる期間がないからである。
【０１７４】
なお、本発明の光ディスク再生装置によれば、ウォブルクロック信号により動作するカウンタのカウント値によりウォブルＰＬＬゲート信号を生成している。しかし、ＣＬＶ再生時などでセクタの再生速度が変化しない場合には、固定のクロック信号で動作するカウンタのカウント値によりウォブルＰＬＬゲート信号を生成してもよい。
【０１７５】
また、ウォブル信号の周期数をカウントするカウンタを用いて、カウント値が所定の値になればウォブルＰＬＬゲート信号を立てるように構成してもよい。ウォブル信号の周期数は決まっているからである。この場合はウォブルクロックがウォブル信号に同期していない場合でも確実にウォブルＰＬＬゲート信号を生成することができる。
【０１７６】
４．データリードクロック信号の周波数異常検出
本実施の形態の光ディスク再生装置１００は、データリードクロック異常検出器１１９を含んでもよい。
【０１７７】
データリードクロック異常検出器１１９は、データリードクロック信号とウォブルクロック信号との関係に基づいて、データリードクロック信号の周波数の異常を検出する。
【０１７８】
図１４は、データリードクロック異常検出器１１９の構成を示す。
【０１７９】
データリードクロック異常検出器１１９は、周期測定器８０１と、増幅器８０２と、周期測定器８０３と、演算器８０４と、絶対値演算器８０５と、コンパレータ８０６とを含む。
【０１８０】
周期測定器８０１は、データＰＬＬ回路１１２から出力されたデータリードクロック信号を受信し、データリードクロック信号の周期を測定する。
【０１８１】
周期測定器８０３は、ウォブルＰＬＬ回路１０８から出力されたウォブルクロック信号を受信し、ウォブルクロック信号の周期を測定する。
【０１８２】
増幅器８０２は、周期測定器８０１によって測定された測定結果を増幅する。
【０１８３】
演算器８０４は、データリードクロック信号とウォブルクロック信号との関係に基づいて、演算を行う。
【０１８４】
演算器８０４から出力された値を所定の値だけ減算し、絶対値演算器８０５に入力する。絶対値演算器８０５は、入力された値の絶対値を求める。
【０１８５】
絶対値演算器８０５の出力は、ウォブルクロック信号の周波数とデータリードクロック信号の周波数とのずれを示す。絶対値演算器８０５の出力をコンパレータ８０６へ入力する。
【０１８６】
コンパレータ８０６は、基準値と絶対値演算器８０５から出力された信号の値とを比較する。コンパレータ８０６には、基準値（データリードクロック異常検出レベル）が設定されている。コンパレータ８０６は、データリードクロック異常検出信号を出力する。
【０１８７】
コンパレータ８０６は、絶対値演算器８０５から出力された信号の大きさがデータリードクロック異常検出レベル以上であればデータリードクロック信号の周波数が異常であると判断する。
【０１８８】
なお、データリードクロック異常検出器１１９は、本発明において、異常検出器として機能する。
【０１８９】
データリードクロック信号は、本発明において、第１クロック信号を示す。ウォブルクロック信号は、本発明において、第２クロック信号を示す。
【０１９０】
システムコントローラ１１７は、データリードクロック異常検出信号を入力し、データＰＬＬ回路１１２に信号を送り、セレクタ４０６を切り換える。ウォブル信号の周期とデータリードクロック信号の周期とが一定になるようにデータＰＬＬ回路は、データリードクロック信号を制御する。
【０１９１】
本発明の光ディスク再生装置は、第１ＰＬＬ部から出力された第１クロック信号と第２ＰＬＬ部から出力された第２クロック信号との関係に基づいて、第１クロック信号の周波数の異常を検出するため、高速に第１クロック信号の周波数の異常を検出できる。第１クロック信号が検出されるたびに、あるいは第２クロック信号が検出されるたびに、第１クロック信号と第２クロック信号との関係が判明するからである。
【０１９２】
演算器８０４は、除算器でよい。この場合、データリードクロック信号の周期とウォブルクロック信号の周期との比に基づいてデータリードクロック信号の周波数の異常が検出される。したがって、ＣＡＶ再生のように光ディスクの内周、外周での再生速度が異なる場合でも、安定してデータリードクロック信号の周波数の異常を検出することができる。
【０１９３】
演算器８０４は、減算器でもよい。この場合、データリードクロック信号の周期とウォブルクロック信号の周期の差に基づいてデータリードクロック信号の周波数の異常が検出される。したがって、再生速度が変化しない場合（例えば、ＣＬＶ再生時）でも、安定してデータリードクロック信号の周波数の異常を検出することができる。
【０１９４】
データリードクロック異常検出器１１９は、本発明において、異常検出部として機能する。異常検出部は、第１ＰＬＬ部から出力された第１クロック信号と第２ＰＬＬ部から出力された第２クロック信号との関係に基づいて、第１クロック信号の周波数の異常を検出する。
【０１９５】
【発明の効果】
本発明の光ディスク再生装置によれば、セクタ再生時間データと未記録時間データとの関係に基づいてセクタが未記録セクタであるか否かを判別するため、光ディスクの内周側にあるセクタの再生速度と光ディスクの外周側にあるセクタの再生速度とが異なる場合（例えば、ＣＡＶ再生の場合）でも、セクタが未記録セクタであるか否かを判別することが可能になる。セクタ再生時間データと未記録時間データとの関係は、セクタの再生速度に依存しないからである。また、ＣＬＶ再生の場合、シーク直後はＣＬＶ制御が正確に行われず、セクタの再生速度がセクタ毎に異なることがある。しかし、この場合でも、セクタが未記録セクタであるか否かを判別することが可能になる。セクタ再生時間データと未記録時間データとの関係は、セクタの再生速度に依存しないからである。
【０１９６】
さらに、本発明の光ディスク再生装置によれば、アドレス部が検出された期間を含む所定の期間、ＰＬＬ部をホールドするため、クロック信号に基づいてアドレス部を正確に検出できる。アドレス部が検出された期間を含む所定の期間以外の期間に、クロック信号に乱れが生じる期間がないからである。
【０１９７】
さらに、本発明の光ディスク再生装置によれば、第１ＰＬＬ部から出力された第１クロック信号と第２ＰＬＬ部から出力された第２クロック信号との関係に基づいて、第１クロック信号の周波数の異常を検出するため、高速に第１クロック信号の周波数の異常を検出できる。第１クロック信号が検出されるたびに、あるいは第２クロック信号が検出されるたびに、第１クロック信号と第２クロック信号との関係が判明するからである。
【図面の簡単な説明】
【図１】光ディスク１１０１に含まれたゾーンおよびセクタを示す図
【図２】ゾーン９０３が含むセクタ９０５を示す図
【図３】本発明の光ディスク再生装置１００の構成を示す図
【図４】アドレス部検出部１０６の構成を示す図
【図５】アドレス部検出部１０６およびウォブル検出部１０７への入力信号の波形とアドレス部検出部１０６およびウォブル検出部１０７からの出力信号の波形を示す図
【図６】データＰＬＬ回路１１２の構成を示す図
【図７】傷・未記録部検出部１１５の構成を示す図
【図８】傷・未記録部検出部１１５への入力信号の波形と傷・未記録部検出部１１５からの出力信号の波形とを示す図
【図９】未記録セクタ判別部１１８の構成を示す図
【図１０】未記録セクタ判別装置１１８で生成される信号とＲＦ信号との比較を示す図
【図１１】ゲート信号生成部１１３の構成を示す図
【図１２】ゲート信号生成部１１３が含む各構成要素から出力される信号を示す図
【図１３】ウォブルＰＬＬ回路１０８の構成を示す図
【図１４】データリードクロック異常検出器１１９の構成を示す図
【図１５】従来の光ディスク再生装置１１００の構成を示す図
【図１６】未記録セクタ判別部１１１８を示す図
【図１７】ウォブルＰＬＬ回路１１０８を示す図
【図１８】ウォブルクロック信号の乱れを説明する図
【符号の説明】
１００  光ディスク再生装置
１０２  ヘッドユニット
１０３  光検出器
１０５  減算器
１０６  アドレス部検出部
１０７  ウォブル検出部
１０８  ウォブルＰＬＬ回路
１０９  セレクタ
１１２  データＰＬＬ回路
１１３  ゲート信号生成部
１１５  傷・未記録部検出部
１１６  アドレスリード部
１１７  システムコントローラ
１１８  未記録セクタ判別部
１１９  データリードクロック異常検出部
【図１】
0003970686.tif 000002
【図２】
0003970686.tif 000003
【図３】
0003970686.tif 000004
【図４】
0003970686.tif 000005
【図５】
0003970686.tif 000006
【図６】
0003970686.tif 000007
【図７】
0003970686.tif 000008
【図８】
0003970686.tif 000009
【図９】
0003970686.tif 000010
【図１０】
0003970686.tif 000011
【図１１】
0003970686.tif 000012
【図１２】
0003970686.tif 000013
【図１３】
0003970686.tif 000014
【図１４】
0003970686.tif 000015
【図１５】
0003970686.tif 000016
【図１６】
0003970686.tif 000017
【図１７】
0003970686.tif 000018
【図１８】
0003970686.tif 000019